(57)【特許請求の範囲】
【請求項１】
積層されたコンクリート側塊の接合部に、金属製マーカーを配置しておき、金属探知器により金属製マーカーを探知し、積層された前記コンクリート側塊の前記接合部の位置を確認するこを特徴とする分割人孔におけるコンクリート側塊接合部の位置確認方法。
【発明の詳細な説明】
【技術分野】
【０００１】
本発明は、分割人孔における積層されたコンクリート側塊の接合部の位置を容易に確認できるようにするためのコンクリート側塊接合部の位置確認対応構造および確認方法に関する。
【背景技術】
【０００２】
経年による劣化、通過する車輌の荷重や振動による疲労などの原因により劣化した人孔を更生する更生方法として、既設の人孔の内面に補強層を形成する更生方法、例えば、特許文献１に示すように、既設の人孔内部に人孔の内径より小さな外径を有する合成樹脂製の補強用筒状体を起立姿勢で挿入し、人孔の内周面と補強用筒状体の外周面との隙間にセメント系モルタルや樹脂系モルタルを注入して補強層を形成するといった更生方法が知られている。
【０００３】
また、既設の人孔を地震から保護する地震対応工法として、例えば、特許文献２に示すように、分割人孔における積層されたコンクリート側塊の接合部に沿って周溝部を形成し、周溝部に少なくともコンクリート側塊の破壊よりも弱い力で剪断する弾性接着剤を充填してシールするといった工法が知られている。
【０００４】
また、既設の人孔が、地震時における地盤の液状化現象によって人孔の浮き上がりを防止する人孔の浮上防止構造として、例えば、特許文献３に示すように、人孔の壁部に、地中側と人孔内とを連通する貫通孔を形成し、貫通孔に地中側から人孔内への水の流れを許容し、人孔内から地中側へ水野流れを常時遮断する逆止弁を配置した人孔の浮上防止構造が知られている。
【先行技術文献】
【特許文献】
【０００５】
【特許文献１】特開２０１７−１９７９４１号公報
【特許文献２】特開２０１４−５８８４４号公報
【特許文献２】特開２００６−１２４９６６号公報
【発明の概要】
【発明が解決しようとする課題】
【０００６】
しかしながら、特許文献１に記載された更生方法で更生された人孔は、人孔の内周面が補強層で覆われた更生構造となっているため、更生した人孔が分割人孔である場合、積層されたコンクリート側塊の接合部を外部から確認することができない。
【０００７】
このため、更生された既設の分割人孔に特許文献２に示す地震対応工法を実施しようとしたとき、分割人孔における積層されたコンクリート側塊の接合部を外部から確認することがでず、地震対応工法の実施を困難としているといった問題があった。
【０００８】
また、更生された既設の人孔に特許文献３に示す浮上防止構造とする工事を実施しようとしたとき、人孔が分割人孔である場合には、人孔の壁部に形成する貫通孔の位置はコンクリート側塊の接合部を避ける必要があるが、積層されたコンクリート側塊の接合部を外部から確認することがでず、浮上防止構造とする工事を困難としているといった問題があった。
【０００９】
本発明の目的は、更生後の分割人孔における積層されたコンクリート側塊の接合部の位置を容易に確認できるようにしたコンクリート側塊接合部の位置確認方法を提供することにある。
【課題を解決するための手段】
【００１４】
上記の目的を達成するために、請求項１に記載の発明は、分割人孔におけるコンクリート側塊接合部の位置確認方法であって、積層されたコンクリート側塊の接合部に、金属製マーカーを配置しておき、金属探知器により金属製マーカーを探知し、積層された前記コンクリート側塊の前記接合部の位置を確認するこを特徴とする。
【００１５】
請求項１に記載の発明によれば、積層されたコンクリート側塊の接合部に、金属製マーカーを配置しておき、金属探知器により金属製マーカーを探知するといった簡単な方法で、積層された前記コンクリート側塊の前記接合部の位置を確認することができる。
【発明の効果】
【００１６】
以上のように、本発明に係る分割人孔におけるコンクリート側塊接合部の位置確認方法によれば、積層された前記コンクリート側塊の前記接合部の位置を確認することができるので、更生された既設の分割人孔の地震対応工法による工事や、浮上防止構造とする工事を容易に実施することができる。
【図面の簡単な説明】
【００１７】
【図１】本発明に係る分割人孔におけるコンクリート側塊接合部の位置確認対応構造の第１例を示す断面図である。
【図２】図１の一部拡大図である。
【図３】本発明に係る分割人孔におけるコンクリート側塊接合部の位置確認対応構造の第２例を示す断面図である。
【図４】図３の一部拡大図である。
【図５】本発明に係る分割人孔におけるコンクリート側塊接合部の位置確認方法の一例を示す説明図である。
【発明を実施するための形態】
【００１８】
以下、本発明に係る分割人孔におけるコンクリート側塊接合部の位置確認対応構造および確認方法の実施の形態の一例を詳細に説明する。
図１、図２は本発明に係る分割人孔におけるコンクリート側塊接合部の位置確認対応構造の実施の形態の第１例を示すものであり、図１は第１例の分割人孔におけるコンクリート側塊接合部の位置確認対応構造を示す断面図、図２は図１の一部拡大図である。
【００１９】
第１例は、分割人孔１を構成する積層されたコンクリート側塊２の接合部３に、金属製マーカー４を配置している。金属製マーカー４にあっては、金属探知器で探知できる金属であれば特に限定されない。
【００２０】
接合部３への金属製マーカー４の配置にあっては、本例では分割人孔１の内面側からコンクリート側塊２の接合部３にドリル等で穴を穿ち、穴に金属製マーカー４を埋め込んで配置している。接合部３へ配置する金属製マーカー４は、接合部３の周方向に複数配置することが好ましく、３個以上が特に好ましい。本例では４個の金属製マーカー４を接合部３の周方向に等間隔で配置している。
【００２１】
図３、図４は本発明に係る分割人孔におけるコンクリート側塊接合部の位置確認対応構造の実施の形態の第２例を示すものであり、図３は第２例の分割人孔におけるコンクリート側塊接合部の位置確認対応構造を示す断面図、図４は図３の一部拡大図である。
第２例の分割人孔におけるコンクリート側塊接合部の位置確認対応構造は、第１例と基本構成において変わるところはなく、第１例と同一の構成については同一の符号を付して説明する。
【００２２】
第２例と第１例との違いは、第２例は分割人孔１が地震対応を施した分割人孔１であるところにある。第２例の分割人孔１は、積層されたコンクリート側塊２の接合部３に沿って周溝部５を形成し、周溝部５に少なくともコンクリート側塊２の破壊よりも弱い力で剪断する弾性接着剤６を充填してシールしている。
【００２３】
第２例では、積層されたコンクリート側塊２の接合部３に沿って形成された周溝部５に充填された弾性接着剤６に金属製マーカー４を埋め込んで、金属製マーカー４を接合部３に配置している。
金属製マーカー４や金属製マーカー４の配置にあっては、第１例と変わるところはない。
【００２４】
このように構成された第１例、第２例の分割人孔におけるコンクリート側塊接合部の位置確認対応構造によれば、分割人孔１の内周面が補強層で覆われた更生構造となり、積層されたコンクリート側塊２の接合部３を外部から視覚で確認することができないような場合であっても、次に説明する本発明の分割人孔におけるコンクリート側塊接合部の位置確認方法により、積層されたコンクリート側塊２の接合部３の位置を確認することができる。
【００２５】
図５は本例による分割人孔におけるコンクリート側塊接合部の位置確認方法を示す説明図である。
本例の分割人孔におけるコンクリート側塊接合部の位置確認方法は、コンクリート側塊２の接合部３の位置確認対応構造を備え、内周面が補強層７で覆われた更生構造となっている第１例の分割人孔１におけるコンクリート側塊２の接合部３の位置を確認する方法であり、図３に示すように、分割人孔１内に金属探知器８を搬入し、電磁波を発生させてコンクリート側塊２の接合部３に配置されている金属製マーカー４を探知し、検知した金属製マーカー４の位置を以てコンクリート側塊２の接合部３の位置を確認する。
【００２６】
図示しないが、第２例の分割人孔におけるコンクリート側塊２の接合部３の位置確認も、第１例の分割人孔におけるコンクリート側塊２の接合部３の位置の確認と同様にして確認する。
【００２７】
以上のように構成される本発明に係る分割人孔におけるコンクリート側塊接合部の位置確認対応構造および確認方法によれば、コンクリート側塊接合部の位置確認対応構造は、積層されたコンクリート側塊２の接合部３に、金属製マーカー４を配置するといった簡単な構造で構成されているので、施工工事が容易である。
【００２８】
そして、更生後の分割人孔１におけるコンクリート側塊２接合部３の位置の確認は、分割人孔１内に金属探知器８を搬入し、電磁波を発生させてコンクリート側塊２の接合部３に配置されている金属製マーカー４を探知するといった簡単な作業により、コンクリート側塊２の接合部３の位置を容易に且つ正確に確認することができる。
【符号の説明】
【００２９】
１  分割人孔
２，２  コンクリート側塊
３  接合部
４  金属製マーカー
５  周溝部
６  弾性接着剤
７  補強層
８  金属探知器
【図１】
0006963318.tif 000002
【図２】
0006963318.tif 000003
【図３】
0006963318.tif 000004
【図４】
0006963318.tif 000005
【図５】
0006963318.tif 000006